(57)【要約】  【課題】本発明は、画像形成装置における定着器入口ガイドのシート走行面の温度上昇を抑え、かつ、定着器入口ガイドをシートが走行していないときには定着器入口ガイドのシート走行面を画像形成装置の外部から監視できる位置にし、シート走行面を清掃しやすい構造とし、搬送されるシートのシワの発生、ジャムの発生を防止する。  【解決手段】定着器入口ガイド部は入口ガイド軸と、前記入口ガイド軸を中心に回転する入口ガイドと、前記入口ガイド回転機構と、前記入口ガイド回転機構を制御する入口ガイド制御部とを有し、前記入口ガイド制御部は印刷起動信号に係わる信号を受けとると前記入口ガイドを前記シートが前記入口ガイドを通過する際の第１の位置に位置づけし、前記入口ガイド制御部は前記印刷起動信号に係わる信号を一定時間内に受けとらないときは、前記入口ガイドを前記第１の位置から前記入口ガイド軸を中心に回転させて前記第１の位置よりも前記ヒートローラの中心軸から離れ、かつ、前記入口ガイドのシート走行面が画像形成装置の外部から可視範囲内にある第２の位置に位置づけする。  【選択図】図１
2007147712.tif 000002
【特許請求の範囲】
【請求項１】
画像形成装置において、
転写材担持体を備えた転写器からヒートローラを備えた定着器へ搬送されるシートを前記定着器へ案内する定着器入口ガイド部であって、
前記定着器入口ガイド部は入口ガイド軸と、
前記入口ガイド軸を中心に回転する入口ガイドと、
前記入口ガイド回転機構と、
前記入口ガイド回転機構を制御する入口ガイド制御部とを有し、
前記入口ガイド制御部は印刷起動信号に係わる信号を受けとることにより前記入口ガイドを前記シートが前記入口ガイドを通過する際の第１の位置に位置づけし、
前記入口ガイド制御部は前記印刷起動信号に係わる信号を一定時間内に受けとらないときは、前記入口ガイドを前記第１の位置から前記入口ガイド軸を中心に回転させて前記第１の位置よりも前記ヒートローラの中心軸から離れた第２の位置に位置づけし、
前記第２の位置は前記入口ガイドのシート走行面が画像形成装置の外部から可視範囲内にあることを特徴とする定着器入口ガイド部。
【請求項２】
前記入口ガイドと前記ヒートローラの周囲に前記ヒートローラと離れて配置された遮熱カバーとはヒンジ機構により結合され、前記入口ガイド軸は前記ヒンジ機構の有するヒンジ軸であって、前記入口ガイドは前記第１の位置と前記第２の位置との間を前記入口ガイド制御部に接続された駆動モータの回転力により移動することを特徴とする請求項１に記載の定着器入口ガイド部。
【請求項３】
請求項１及び請求項２に記載の定着器入口ガイド部を有する画像形成装置。
【請求項４】
転写材担持体を備えた転写器からヒートローラを備えた定着器へ搬送されるシートを前記定着器へ案内する定着器入口ガイド部を有する画像形成装置において、
前記定着器入口ガイド部が印刷起動信号に係わる信号を受け付けるステップと、
前記定着器入口ガイド部の有する入口ガイドを前記シートが前記入口ガイドを通過する際の第１の位置に位置づけるステップと、
前記定着器入口ガイド部が前記印刷起動信号に係わる信号を一定時間内に受け付けないときは、前記入口ガイドを前記第１の位置から前記入口ガイド軸を中心に回転させて前記第１の位置より前記ヒートローラの中心軸から更に離れた第２の位置に位置づけするステップとを有し、
前記第２の位置は前記入口ガイドのシート走行面が画像形成装置の外部から可視範囲内にあることを特徴とする入口ガイド位置決め方法。
【請求項５】
転写材担持体を備えた転写器からヒートローラを備えた定着器へ搬送されるシートを前記定着器へ案内する定着器入口ガイド部を有する画像形成装置の入口ガイド位置決めプログラムであって、コンピュータに、
前記定着器入口ガイド部が印刷起動信号に係わる信号を受け付けるステップと、
前記印刷起動信号に係わる信号を受け付けることにより前記定着器入口ガイド部の有する入口ガイドを前記シートが前記入口ガイドを通過する際の第１の位置に位置づけるステップと、
前記定着器入口ガイド部が前記印刷起動信号に係わる信号を一定時間内に受け付けないときは、前記入口ガイドを前記第１の位置から前記入口ガイド軸を中心に回転させて前記第１の位置より前記ヒートローラの中心軸から更に離れた第２の位置であって、前記第２の位置は前記入口ガイドのシート走行面が画像形成装置の外部から可視範囲内にある位置へ位置づけするステップとを実行させる入口ガイド位置決めプログラム。
【発明の詳細な説明】
【技術分野】
【０００１】
本発明は、プリンタ、複写機、ファクシミリ等において、特に、転写材担持体を備えた転写器から加熱ローラを備えた定着器へシートを搬送するときに、シートを定着器へ案内する定着器入口ガイドを有する画像形成装置に関する。
【背景技術】
【０００２】
プリンタ、複写機、ファクシミリ等において、転写材担持体を備えた転写器から加熱ローラを備えた定着器へシートを搬送するときに、シートを定着器へ案内する定着器入口ガイドを備えた画像形成装置として、図３に従来の定着器入口ガイドを備えたページプリンタ装置要部断面図を示す。
【０００３】
図３において、転写器１１からシート搬送部１２を通って定着器１３に搬送される用紙
が、定着器１３のヒートローラ（加熱ローラ）１３−１とバックアップローラ１３−２との間に適正に搬送されるように定着器１３の入口部分に定着器入口ガイド１４が配置されている。ここで、シート搬送部１３は図示されていないベルト、ローラを有し、転写器１１から定着器１３へ用紙を搬送する。定着器入口ガイド１４は、例えば、定着器１３が有する遮熱カバー１３−３にネジで固定されている。遮熱カバー１３−３は定着器１３の有するヒートローラ１３−１が内部から加熱されてヒートローラ１３−１の表面から放熱される熱を定着器１３の外部と遮熱するための遮熱部材で作られている。
【０００４】
図４には図３に例示したページプリンタ装置における、従来の定着器ガイドを備えたページプリンタ装置における用紙走行ルート説明図を示す。
【０００５】
図４において、転写器１１から定着器１３へ搬送されてくる用紙上には未定着トナーが浮遊し、Ａに示すような用紙の走行ルートの場合は問題になりにくいが、Ｂに示すように用紙がカールして定着器入口ガイド１４のシート走行面（用紙が搬送されて走行する側の定着器入口ガイドの面）に当たる場合、未定着トナーがシート走行面１４−１に付着する。用紙上のトナーを定着するための定着器１３のヒートローラ１３−１の熱により定着器入口ガイド１４のシート走行面１４−１が加熱されていると、シート走行面１４−１に付着したトナーは溶け、定着器入口ガイド１４のシート走行面１４−１にトナーの固まりが形成される。このトナーの固まりに用紙の角や端面が引っ掛り、用紙にシワを発生したり、ジャムが発生するという問題があった。
【０００６】
このような問題に対処するための関連公知技術として、例えば、特開２００３−１９５６６１公報に示されるように、定着器ニップにシートを案内する入口ガイドの先端を第１のボジションと第２のポジションに切り換えトナー像の乱れを防止する画像形成装置が示されている。また、特開平６−２５０５３１公報には剥離器の剥離部材の延伸された剥離ガイド部が定着装置に用紙をガイドし、剥離ガイド部材が回動して定着装置からの熱を遮断する方向に設定される装置が開示されている。
【特許文献１】特開２００３−１９５６６１公報                  特開平６−２５０５３１公報
【発明の開示】
【発明が解決しようとする課題】
【０００７】
しかしながら、上記従来の画像形成装置においては、以下のような問題があった。
【０００８】
例えば、特開２００３−１９５６６１公報において開示されている方法においては、加熱されている定着ローラの近くに入口ガイド先端部があり、第１のボジションと第２のポジションに切り換えが行なわれても、加熱されて入口ガイド先端部に付着したトナーは熱により溶け、入口ガイド先端部にトナーの固まりを形成するという問題が残ると考えられる。
【０００９】
また、特開平６−２５０５３１公報において開示されている方法においては、剥離器の剥離部材の延伸された剥離ガイド部が定着装置に用紙をガイドし、剥離ガイド部材が回動して定着装置からの熱を遮断する方向に設定されるが、剥離ガイド部自体は加熱される状態に置かれると考えられる。
【００１０】
本発明は、定着器入口ガイドのシート走行面の温度上昇を抑え、かつ、定着器入口ガイドをシートが走行していないときには定着器入口ガイドのシート走行面を画像形成装置の外部から監視できる位置にし、シート走行面の汚れ具合に応じてシート走行面を清掃しやすい構造とし、搬送されるシートのシワの発生、ジャムの発生を防止することを目的とする。
【課題を解決するための手段】
【００１１】
本発明の請求項１に記載の発明は、画像形成装置において、転写材担持体を備えた転写器からヒートローラを備えた定着器へ搬送されるシートを前記定着器へ案内する定着器入口ガイド部であって、前記定着器入口ガイド部は入口ガイド軸と、前記入口ガイド軸を中心に回転する入口ガイドと、前記入口ガイド回転機構と、前記入口ガイド回転機構を制御する入口ガイド制御部とを有し、前記入口ガイド制御部は印刷起動信号に係わる信号を受けとることにより前記入口ガイドを前記シートが前記入口ガイドを通過する際の第１の位置に位置づけし、前記入口ガイド制御部は前記印刷起動信号に係わる信号を一定時間内に受けとらないときは、前記入口ガイドを前記第１の位置から前記入口ガイド軸を中心に回転させて前記第１の位置よりも前記ヒートローラの中心軸から離れた第２の位置に位置づけし、前記第２の位置は前記入口ガイドのシート走行面が画像形成装置の外部から可視範囲内にあることを特徴とする定着器入口ガイド部である。
【００１２】
請求項１に記載の発明によれば、本発明による入口ガイドはシートが通過する際には第１の位置に設定されており、シートを安定して定着器へ送る働きをする。
【００１３】
シートが一定時間内に定着器へ搬送されてこないときは、入口ガイドが入口ガイド軸の周りを旋回して、第１の位置よりもヒートローラから離れた第２の位置で待機するようになっている。
【００１４】
第１の位置から第２の位置へ移動するには、例えば、定着器入口ガイド部の入口ガイド制御部が印刷起動信号を画像形成装置の制御部から受け、定着器入口ガイド部の入口ガイド制御部に接続されたギアモータにより、ギアモータの回転軸とギアで結合された入口ガイド軸に固定された入口ガイドがギアモータの回転に伴って第１の位置から第２の位置へ移動する。
【００１５】
本発明の入口ガイドは上述のようになっているため、定着器が予熱待機中であっても、入口ガイドは第１の位置に置かれたままであるのと比べ、ヒートローラの熱の影響を受けにくい第２の位置にあるため、温度上昇を低く抑えられる。
【００１６】
また、本発明の入口ガイドは第２の位置にあるとき、入口ガイドのシート走行面（シートが搬送されて走行する側の入口ガイドの面。以下同じ）を画像形成装置の外部から監視可能範囲内の位置となっている。
【００１７】
入口ガイドが第２の位置に置かれることにより、入口ガイドの温度上昇を極力抑え、かつ、画像形成装置の外部から監視可能範囲内の位置にある入口ガイドのシート走行面の汚れ具合に応じてシート走行面に画像形成装置の外部から、例えば、ワイパーを備えたクリーニング手段による清掃を施し、シート走行面を清浄に保つことにより、搬送されるシートのシワの発生及びジャムの発生を防止する構造となっている。
【００１８】
ここで、入口ガイド制御部は印刷起動信号に係わる信号を受けとると、入口ガイドをシートが入口ガイドを通過する際の第１の位置に位置づけされるようになっているが、入口ガイド制御部は定着器入口ガイド部以外の、例えば、画像形成装置の制御部に位置していても構わない。また、印刷起動信号に係わる信号を画像形成装置の制御部から入口ガイド制御部が受けとる以外に、例えば、シート搬送路内を搬送されるシートの先端を検出するセンサからの信号を受けとる構造であっても構わない。さらに、印刷起動信号に係わる信号は、画像形成装置が印刷開始するように指示された信号でもよいし、印刷開始するように指示された信号をもとに一定時間後に画像形成装置が出力する信号であっても構わない。
【００１９】
また、入口ガイドの第１の位置から第２の位置への移動は、入口ガイド制御部が印刷起動信号に係わる信号を一定時間内に受けとらないときに行なわれ、例えば、シート搬送路内を搬送されるシートの後端を検出するセンサからの信号を一定時間内に受けとらない場合、あるいは、印刷ジョブ信号を受けたときに行なわれる。
【００２０】
本発明の請求項２に記載の発明は、前記入口ガイドと前記ヒートローラの周囲に前記ヒートローラと離れて配置された遮熱カバーとはヒンジ機構により結合され、前記入口ガイド軸は前記ヒンジ機構の有するヒンジ軸であって、前記入口ガイドは前記第１の位置と前記第２の位置との間を前記入口ガイド制御部に接続された駆動モータの回転力により移動することを特徴とする請求項１に記載の定着器入口ガイド部である。
【００２１】
請求項２に記載の発明によれば、入口ガイドをヒートローラの周囲に配置された遮熱カバーとヒンジ機構により結合し、ヒンジ機構のヒンジ軸が回転するとヒンジ軸に固定された入口ガイドが回転するようになっている。
【００２２】
画像形成装置に固定された遮熱カバーと入口ガイドとの間に設けられたヒンジ機構により結合した構造とすることにより、入口ガイドはヒンジ機構のヒンジ軸を中心に回転するようになっている。遮熱カバーを画像形成装置に機械的に固定しておくことにより入口ガイドの支持が強固となり、部品点数を少なく、かつ、簡単な構造とすることができる。
【００２３】
本発明の請求項３に記載の発明は、請求項１及び請求項２に記載の定着器入口ガイド部を有する画像形成装置である。
【００２４】
請求項３に記載の発明によれば、シートが搬送されていないときに、入口ガイドを旋回して入口ガイドが第２の位置に置かれることにより、定着器のヒートローラからの熱による入口ガイドの温度上昇を極力抑え、かつ、画像形成装置の外部から監視可能範囲内の位置にある入口ガイドのシート走行面の汚れ具合に応じてシート走行面に、例えば、画像形成装置の外部からワイパーを備えたクリーニング機構による清掃を施し、シート走行面を清浄に保つことにより、搬送されるシートのシワの発生及びジャムの発生を防止する構造の画像形成装置である。
【００２５】
本発明の請求項４に記載の発明は、転写材担持体を備えた転写器からヒートローラを備えた定着器へ搬送されるシートを前記定着器へ案内する定着器入口ガイド部を有する画像形成装置において、前記定着器入口ガイド部が印刷起動信号に係わる信号を受け付けるステップと、前記定着器入口ガイド部の有する入口ガイドを前記シートが前記入口ガイドを通過する際の第１の位置に位置づけるステップと、前記定着器入口ガイド部が前記印刷起動信号に係わる信号を一定時間内に受け付けないときは、前記入口ガイドを前記第１の位置から前記入口ガイド軸を中心に回転させて前記第１の位置より前記ヒートローラの中心軸から更に離れた第２の位置に位置づけするステップとを有し、前記第２の位置は前記入口ガイドのシート走行面が画像形成装置の外部から可視範囲内にあることを特徴とする入口ガイド位置決め方法である。
【００２６】
本発明の請求項５に記載の発明は、転写材担持体を備えた転写器からヒートローラを備えた定着器へ搬送されるシートを前記定着器へ案内する定着器入口ガイド部を有する画像形成装置の入口ガイド位置決めプログラムであって、コンピュータに、前記定着器入口ガイド部が印刷起動信号に係わる信号を受け付けるステップと、前記印刷起動信号に係わる信号を受け付けることにより前記定着器入口ガイド部の有する入口ガイドを前記シートが前記入口ガイドを通過する際の第１の位置に位置づけるステップと、前記定着器入口ガイド部が前記印刷起動信号に係わる信号を一定時間内に受け付けないときは、前記入口ガイドを前記第１の位置から前記入口ガイド軸を中心に回転させて前記第１の位置より前記ヒートローラの中心軸から更に離れた第２の位置であって、前記第２の位置は前記入口ガイドのシート走行面が画像形成装置の外部から可視範囲内にある位置へ位置づけするステップとを実行させる入口ガイド位置決めプログラムである。
【発明の効果】
【００２７】
本発明によれば、入口ガイドが第２の位置にあるとき、定着器のヒートローラから生じる熱による入口ガイドの温度上昇を抑えられると共に、入口ガイドのシート走行面は画像形成装置の外部から可視的な位置にあるため、画像形成装置の外部から容易に入口ガイドのシート走行面の汚れ具合を監視し、かつ、必要に応じてシート走行面に清掃を施すことができるため、搬送されるシートのシワの発生及びジャムの発生を防止し、安定した定着をすることができる。
【発明を実施するための最良の形態】
【００２８】
図１は、本発明による入口ガイドの一実施例を示す。本図においては、入口ガイド４−２がを図示された画像形成装置の要部断面図が示されている。
転写器１は、転写ドラム１−１と転写ローラを有し、転写器１からシート搬送部２を通って定着器３に搬送されるシートが、定着器３のヒートローラ（加熱ローラ）３−１とバックアップローラ３−２との間に適正に搬送されるように定着器３の入口部分に入口ガイド４−１が配置されている。ここで、シート搬送部２は図示が省略されているベルト、ローラを有し、転写器１から定着器３へ用紙を搬送する。
【００２９】
定着器入口ガイド部４は、入口ガイド４−１と、入口ガイド軸４−２と、入口ガイド軸４−２を回転駆動する本図の背面に設けられた図示されていないギアモータ、入口ガイド制御部を有している。
【００３０】
入口ガイド４−１は、例えば、アルミニウム合金板、あるいは、ステンレス鋼板といった金属で作られ、第１の位置であるシート搬送時の位置に保持されており、定着器入口ガイド部４のシート走行面４−３は、シート搬送部３に対向して保持されている。
【００３１】
定着器入口ガイド部４は、入口ガイド軸４−２を支点として定着器３の端面とその端部が当接し、入口ガイド４−１は入口ガイド軸４−２が本図において時計回りに回転できるようになっている。
【００３２】
図２は、本発明による入口ガイドの一実施例（待機状態）を示す。本図において、入口ガイド４−１は、図１における第１の位置から、入口ガイド軸４−２の周りを入口ガイド４−１が旋回して、入口ガイド４−１は、第２の位置である待機状態の位置に保持されている。定着器入口ガイド部４のシート走行面４−３は、シート搬送部３の水平面部にほぼ垂直に保持されている。
【００３３】
本図から分かるように、入口ガイド４−１は図１に示された第１の位置に比べて定着器３が有するヒートローラ３−１より離れた位置にあり、かつ本図の遮熱カバー３−３の先端により、入口ガイド４−１への熱が遮熱されているため、入口ガイド４−１の温度上昇を抑え、かつ、シート走行面４−３は画像形成装置の外部から可視範囲内にあるため、シート走行面４−３の汚れ度合いの監視が容易、かつ、画像形成装置の外部からシート走行面４−３の清掃をしやすい状態にしている。
【００３４】
ここで、図１および図２において図示されていない入口ガイド４−１の回転動作をさせる機構を図５の本発明による入口ガイドの回転動作説明図を用いて説明する。
【００３５】
図５は、図１、図２の紙面の反対側から見た図であり、定着器入口ガイド部４は入口ガイド１６、ギア１７、ギアモータ１８、切欠付円板１９、フォトセンサ２０、支持ピン２１を有する。定着器入口ガイド部４が有する入口ガイド制御部は図示を省略してある。定着器入口ガイド部４は図示されていない画像形成装置の制御部に置かれていても構わない。
【００３６】
支持ピン２１は、外周が円柱の一部に平面部が形成され、軸方向に垂直な断面がＤ型形状をしたＤカット部２１−１を有し、その先の円柱軸部２１−２はＤカット部２１−１より細くなっている。支持ピン２１の回転方向の位置検出を行なう切欠付円板１９の中央部にはＤカット部２１−１が通るＤ型の穴か設けられ、切欠付円板１９は支持ピン２１のＤカット部２１−１の外周に固定されている。さらに、切欠付円板外周に設けられた切欠き部を検出するフォトセンサ２０が切欠付円板１９に対して非接触に配置されている。
【００３７】
次に、中央部にＤカット部２１−１が通るＤ型の穴が設けられギア１７が支持ピン２１のＤカット部２１−１の外周に固定されている。ギア１７は、ギアモータ１８の回転軸に固定されたギアと噛み合っており、ギアモータ１８は画像形成装置の図示されていない基板に取り付けられ固定されている。さらに、入口ガイド１６には、支持ピン２１の軸と垂直な方向の側面にＤカット部２１−１が通るＤ型の穴が設けられ、支持ピン２１のＤカット部２１−１の外周に打ち込み固定されている。支持ピン２１の円柱軸部２１−２は、遮熱カバー１５の穴部１５−１を通り、画像形成装置に固定された遮熱カバー１５に、定着器入口ガイド部４が回転自在に取り付けられている。
【００３８】
ここで、支持ピン２１は、図1、図２における入口ガイド軸４−２であり、遮熱カバー１５には穴部１５−２（図示省略）が遮熱カバー１５の反対側にも穴部１５−１と対称に設けられている。また、Ｄカット穴２２−２（図示省略）は、入口ガイド１６の反対側にＤカット穴２２−１と対称に設けられている。
【００３９】
ここで、支持ピン２１の円柱軸部２１−２は省略して短く図示されているが、その先端は遮熱カバー１５に設けられた穴部１５−２（図示省略）に達し、回転自由に支持されている。
【００４０】
図５における入口ガイド１６は、以上のような構造になっているため、ギアモータ１８の回転駆動力により、ギアモータ１８と入口ガイド制御部（図示省略）を除く定着器入口ガイド部４は、遮熱カバー１５に対し支持ピン２１を回転軸として回転し、切欠付円板１９の外周に設けられた２つの切欠部である切欠部１９−１と切欠部１９−２を検出するフォトセンサ２０により回転位置が検出され、入口ガイド制御部によって駆動開始、駆動停止の制御がなされるようになっている。
【００４１】
図６は、本発明による定着器入口ガイド部の動作を示すタイムチャートである。
【００４２】
図６において、（ａ）のステップに示すように、例えば、時刻Ｔ１において、プリンタ装置の電源がＯＮの状態になると、（ｂ）のステップで、図５のギアモータ１８は入口ガイド制御部の指示で時計回りの（＋）方向へ回転を始め、ギア１７は反時計まわりに回転し、時刻Ｔ２において、（ｃ）のステップで、切欠付円板１９の切欠部１９−２をフォットセンサ２０が検出すると入口ガイド制御部はギアモータ１８を停止させる。この時、図５の入口ガイド１６は、第２の位置に保持される。
【００４３】
続いて、時刻Ｔ３において、（ｄ）のステップで、入口ガイド制御部がプリンタ装置の搬送部に取り付けられている定着器入口センサ（図示省略）が転写器から搬送されてくる用紙の先端を検出すると、入口ガイド制御部の指示でギアモータ１８は反時計回りの（−）方向へ回転を始め、ギア１７は時計回りに入口ガイド１６を回転し、時刻Ｔ４において、切欠付円板１９の切欠部１９−１をフォットセンサ２０が検出すると入口ガイド制御部はギアモータ１８を停止させる。この時、図５の入口ガイド１６は、第１の位置に保持され、用紙を定着器へ搬送する位置に保持される。
【００４４】
さらに、時刻Ｔ３から所定の時間の時刻Ｔ５になっても、すなわち、（ｄ）のステップで、入口ガイド制御部がプリンタ装置の搬送部に取り付けられている定着器入口センサ（図示省略）が転写器から搬送されてくる用紙の後端を検出してから一定時間になっても、定着器入口センサが転写器から搬送されてくる用紙の先端を検出しない場合には、図５のギアモータ１８は入口ガイド制御部の指示で時計回りの（＋）方向へ回転を始め、ギア１７は反時計まわりに回転し、時刻Ｔ６において、切欠付円板１９の切欠部１９−２をフォットセンサ２０が検出すると入口ガイド制御部はギアモータ１８を停止させ、図５の入口ガイド１６は、再び第２の位置に保持される。
【００４５】
また、プリンタ装置の電源がＯＦＦされると、入口ガイド制御部は終了処理としてギアモータ１８に入口ガイドを第１の位置に保持させて終了する。
【００４６】
ここで、入口ガイド制御部は、定着器入口センサが転写器から搬送されてくる用紙の先端及び後端を検出する信号を受けてギアモータ１８の回転、停止をさせる代わりに、例えば、プリンタ装置の印刷ジョブ開始信号、印刷ジョブ終了信号を受けてギアモータ１８の回転、停止をさせても構わない。
【図面の簡単な説明】
【００４７】
【図１】本発明による入口ガイドの一実施例
【図２】本発明による入口ガイドの一実施例（待機状態）
【図３】は従来の定着器入口ガイドを備えたページプリンタ装置要部断面図
【図４】は従来の定着器入口ガイドを備えたページプリンタ装置における用紙走行ルート説明図
【図５】は本発明による入口ガイドの回転動作説明図
【図６】は本発明による定着器入口ガイド部の動作を示すタイムチャート
【符号の説明】
【００４８】
１、１１        転写器
２、１２      シート搬送部
３、１３        定着器
４、１４        定着器入口ガイド部
１５            遮熱カバー
１６            入口ガイド
１７            ギア
１８            ギアモータ
１９            切欠付円板
２０            フォトセンサ
２１            支持ピン
【図１】
2007147712.tif 000003
【図２】
2007147712.tif 000004
【図３】
2007147712.tif 000005
【図４】
2007147712.tif 000006
【図５】
2007147712.tif 000007
【図６】
2007147712.tif 000008